(57)【要約】【課題】互いに外径の異なる複数の電線とシール材を含む防水コネクタとを備えたワイヤハーネスであって、前記シール材による前記各電線の良好な一括シールが可能でかつ当該シール材の量産性を高めることが可能なものを提供する。【解決手段】ワイヤハーネスは、第１の電線Ｗ１及びこれよりも大径の第２の電線Ｗ２を含む複数の電線と、シール材７０を含む防水コネクタＷＣと、を備える。シール材７０は、電線Ｗ１，Ｗ２がそれぞれ挿通可能な電線挿通孔を囲む内周面７２を有しかつこれらは互いに等しい孔径を有する。第２の電線Ｗ２の絶縁被覆２２は薄肉部２４を有し、この薄肉部２４が前記内周面７２と密着するように第２の電線Ｗ２が電線挿通孔に挿通される。【選択図】図４
2015185315.tif 000002
【特許請求の範囲】
【請求項１】
互いに径の異なる複数の電線であって各電線が導体及びこれを被覆する絶縁被覆を有するものと、
前記各電線の端末に共通して接続される防水コネクタと、を備え、
前記複数の電線には、第１の外径を有する第１の電線と、前記第１の外径よりも大きな第２の外径を有する第２の電線と、が含まれ、
前記防水コネクタは、前記各電線の端末にそれぞれ装着される複数の端子と、これらの端子を保持するハウジングと、弾性部材からなり、前記ハウジングに保持されるシール材と、を備え、
前記シール材は、前記複数の電線のそれぞれが挿通可能な複数の電線挿通孔をそれぞれ囲む内周面を有し、前記電線挿通孔には、前記第１の電線が挿通される第１の電線挿通孔と、前記第２の電線が挿通される第２の電線挿通孔と、が含まれ、当該第１及び第２電線挿通孔は互いに等しい孔径を有し、
前記第２の電線の絶縁被覆のうち当該第２の電線の端末に装着された前記端子が前記ハウジングに保持される位置で前記シール材の前記第２の電線挿通孔を囲む内周面と接触する部位を含む特定部分は、その他の部分よりも小さい肉厚を有する薄肉部を構成する、ワイヤハーネス。
【請求項２】
互いに径の異なる複数の電線であって各電線が導体及びこれを被覆する絶縁被覆を有するものと、前記各電線の端末に共通して接続される防水コネクタと、を備えるワイヤハーネスを製造するための方法であって、
前記複数の電線として、第１の外径を有する第１の電線と、前記第１の外径よりも大きな第２の外径を有する第２の電線と、を含むものを用意する工程と、
前記防水コネクタとして、前記各電線の端末にそれぞれ装着される複数の端子と、これらの端子を保持するハウジングと、弾性部材からなり、前記ハウジングに保持されるシール材と、を備え、シール材は、前記複数の電線のそれぞれが挿通可能な複数の電線挿通孔をそれぞれ囲む内周面を有し、前記電線挿通孔には、前記第１の電線が挿通される第１の電線挿通孔と、前記第２の電線が挿通される第２の電線挿通孔と、が含まれ、当該第１及び第２電線挿通孔は互いに等しい孔径を有するものを用意する工程と、
前記第２の電線の絶縁被覆のうち当該第２の電線の端末に装着された前記端子が前記ハウジングに保持される位置で前記シール材の前記第２の電線挿通孔を囲む内周面と接触する部位を含む特定領域に他の領域の部分よりも小さい肉厚を有する薄肉部を形成する工程と、
前記各電線挿通孔に前記各電線を挿通し、かつ、当該各電線に装着された各端子を前記ハウジングに保持させる工程と、を含む、ワイヤハーネスの製造方法。
【請求項３】
請求項２記載のワイヤハーネスの製造方法であって、前記第２の電線の絶縁被覆に前記薄肉部を形成する工程は、当該絶縁被覆のうち当該薄肉部が形成されるべき部分の内側の圧力を外側の圧力よりも大きくすることにより当該部分を径方向の外側に膨出させ、この膨出により当該部分の肉厚を他の部分よりも小さくすることを含む、ワイヤハーネスの製造方法。
【請求項４】
請求項３記載のワイヤハーネスの製造方法であって、前記複数の電線を用意する工程では、前記第２の電線として当該第２の電線の絶縁被覆が熱可塑性樹脂材料からなるものが用意され、前記薄肉部を形成する工程は、当該第２の電線のうち前記薄肉部が形成されるべき部分の周囲に当該部分の外周面に対して径方向外側に膨出する形状の膨出内面を有する金型を配置することと、当該金型内において前記絶縁被覆を構成する熱可塑性樹脂材料を加熱して軟化させるとともに当該絶縁被覆の内側の圧力が前記金型内における当該絶縁被覆の外側の圧力よりも高くなるような圧力差を与えることにより、当該絶縁被覆に前記金型の膨出内面に沿った形状の膨出部であって前記薄肉部を構成するものを形成することと、を含む、ワイヤハーネスの製造方法。
【発明の詳細な説明】
【技術分野】
【０００１】
本発明は、複数の電線及びそれらの端末に設けられる防水コネクタを含むワイヤハーネス並びに当該ワイヤハーネスを製造するための方法に関する。
【背景技術】
【０００２】
従来、自動車等に搭載されるワイヤハーネスとして、複数の電線と、これらの端末に設けられるコネクタと、を含み、かつ、当該コネクタに防水機能が付与されたものが、知られている。
【０００３】
例えば特許文献１には、当該防水機能が付与されたコネクタとして、複数の電線の端末にそれぞれ設けられる複数の端子と、これらの端子を保持する絶縁ハウジングと、前記絶縁ハウジングに収容される一括ゴム栓と、を備えたものが開示されている。前記一括ゴム栓は、前記各電線が挿通可能な複数の電線挿通孔をそれぞれ囲む内周面を有する。当該内周面は、前記各端子が前記絶縁ハウジングに保持された状態で当該端子に接続されている各電線の外周面、より詳しくは当該電線の絶縁被覆の外周面、と密着し、これにより当該電線を伝って前記絶縁ハウジング内に水分が浸入することを抑止する。従って、当該ゴム栓は、前記複数の電線についてのシールを一括して行うことが可能である。
【先行技術文献】
【特許文献】
【０００４】
【特許文献１】特開２００８−２０４９６０号公報
【発明の概要】
【発明が解決しようとする課題】
【０００５】
前記一括ゴム栓のように複数の電線挿通孔を有するシール材を備えた防水コネクタにおいて、当該シール材の量産化を進めるには、前記複数の電線挿通孔の孔径を揃えることが好ましい。しかし、その一方で、各電線挿通孔に挿通される電線の外径は必ずしも一定とは限らず、互いに異なる場合があり、このような場合に当該電線をそれぞれ同一の径を持つ前記電線挿通孔に挿通しようとすると、弊害が生じるおそれがある。
【０００６】
具体的に、前記電線挿通孔の孔径を外径の大きい電線のシールに適した径に設定した場合、当該電線挿通孔に外径の小さい電線を挿通すると当該電線の外周面と前記電線挿通孔を囲む前記シール材の内周面との密着度が低くなり、これにより十分なシール機能を損なうおそれがある。逆に、前記電線挿通孔の孔径を外径の小さい電線のシールに適した径に設定した場合、当該電線挿通孔に外径の大きい電線を挿通すると、当該電線挿通孔が過度に拡径させられて絶縁ハウジングの内側での前記シール材全体の圧縮変形度合いが過度に上昇し、これにより当該シール材やこのシール材を外側から保持するハウジングに大きな応力を生じさせてその寿命を縮めるおそれがある。また、当該電線挿通孔への当該電線の挿通作業も困難になる。
【０００７】
本発明は、このような事情に鑑み、互いに外径の異なる複数の電線及びこれらの端末に設けられる防水コネクタを含むワイヤハーネスであって、前記防水コネクタに含まれるシール材によって前記各電線を一括して良好にシールすることが可能でありかつ当該シール材の量産性を高めることが可能なもの、及び、当該ワイヤハーネスを製造するための方法、を提供することを目的とする。
【課題を解決するための手段】
【０００８】
本発明は、互いに径の異なる複数の電線であって各電線が導体及びこれを被覆する絶縁被覆を有するものと、前記各電線の端末に共通して接続される防水コネクタと、を備えるワイヤハーネスを提供する。このワイヤハーネスにおいて、前記複数の電線には、第１の外径を有する第１の電線と、前記第１の外径よりも大きな第２の外径を有する第２の電線と、が含まれる。前記防水コネクタは、前記各電線の端末にそれぞれ装着される複数の端子と、これらの端子を保持するハウジングと、弾性部材からなり、前記ハウジングに保持されるシール材と、を備える。前記シール材は、前記複数の電線のそれぞれが挿通可能な複数の電線挿通孔をそれぞれ囲む内周面を有する。前記電線挿通孔には、前記第１の電線が挿通される第１の電線挿通孔と、前記第２の電線が挿通される第２の電線挿通孔と、が含まれ、当該第１及び第２電線挿通孔は互いに等しい孔径を有する。前記第２の電線の絶縁被覆のうち当該第２の電線の端末に装着された前記端子が前記ハウジングに保持される位置で前記シール材の前記第２の電線挿通孔を囲む内周面と接触する部位を含む特定部分は、その他の部分よりも小さい肉厚を有する薄肉部を構成する。
【０００９】
このワイヤハーネスでは、前記シール材の各電線挿通孔に前記各電線を挿通した状態で当該電線の端末に装着された各端子が前記ハウジングに保持されることにより、当該各電線に係るシールを共通の前記シール材によって一括して行うことが可能である。そして、前記シール材の複数の電線挿通孔のうち第１の電線挿通孔及び第２の電線挿通孔の孔径を互いに等しくすることにより、当該シール材の量産性を高めることができる。しかも、第２の電線を構成する絶縁被覆のうち前記第２の電線挿通孔を囲む前記シール材の内周面と接触する部位を含む特定部分が他の部分よりも小さい肉厚を有する薄肉部を構成するため、当該第２の電線の第２の外径が前記第１の電線の第１の外径よりも大きく、かつ、第１及び第２電線挿通孔が互いに等しい孔径を有するにもかかわらず、第１の電線挿通孔に対する第１の電線の密着度合いと第２の電線挿通孔に対する第２の電線の密着度合いとを近づけることが可能であり、これにより、第１及び第２の電線の双方について良好なシールを行うことができる。
【００１０】
なお、ここでいう「第２の外径」とは、第２の電線の通常部分の外径、つまり前記薄肉部以外の部分であって一定の径を有する部分の外径を意味する。一方、前記薄肉部の外径は当該第２の外径より小さくても大きくてもよい。薄肉部の外径が第２の外径よりも大きい場合、つまり、当該薄肉部と第２の導体との間に間隙があって当該薄肉部が他の部分よりも径方向の外側に膨らんでいる場合であっても、当該薄肉部が前記第２の電線挿通孔に圧入されることにより当該薄肉部が径方向の内側に変位して第２の導体と密着することにより最終的に薄肉部の外径はそれ以外の部分の外径（第２の外径）よりも小さくなるので、前記の効果を得ることが可能である。
【００１１】
また本発明は、互いに径の異なる複数の電線であって各電線が導体及びこれを被覆する絶縁被覆を有するものと、前記各電線の端末に共通して接続される防水コネクタと、を備えるワイヤハーネスを製造するための方法を提供する。この方法は、前記複数の電線として、第１の外径を有する第１の電線と、前記第１の外径よりも大きな第２の外径を有する第２の電線と、を含むものを用意する工程と、前記防水コネクタとして、前記各電線の端末にそれぞれ装着される複数の端子と、これらの端子を保持するハウジングと、弾性部材からなり、前記ハウジングに保持されるシール材と、を備え、シール材は、前記複数の電線のそれぞれが挿通可能な複数の電線挿通孔をそれぞれ囲む内周面を有し、前記電線挿通孔には、前記第１の電線が挿通される第１の電線挿通孔と、前記第２の電線が挿通される第２の電線挿通孔と、が含まれ、当該第１及び第２電線挿通孔は互いに等しい孔径を有するものを用意する工程と、前記第２の電線の絶縁被覆のうち当該第２の電線の端末に装着された前記端子が前記ハウジングに保持される位置で前記シール材の前記第２の電線挿通孔を囲む内周面と接触する部位を含む特定部分に他の部分よりも小さい肉厚を有する薄肉部を形成する工程と、前記各電線挿通孔に前記各電線を挿通し、かつ、当該各電線に装着された各端子を前記ハウジングに保持させる工程と、を含む。
【００１２】
この方法において、前記第２の電線の絶縁被覆に前記薄肉部を形成する工程としては、当該絶縁被覆のうち当該薄肉部が形成されるべき部分の内側の圧力を外側の圧力よりも大きくすることにより当該部分を径方向の外側に膨出させ、この膨出により当該部分の肉厚を他の部分よりも小さくするものが、好適である。この方法では、前記絶縁被覆の内外に圧力差を与えるという簡単な構成で当該絶縁被覆に薄肉部を形成することができる。
【００１３】
より具体的には、前記複数の電線を用意する工程が、前記第２の電線として当該第２の電線の絶縁被覆が熱可塑性樹脂材料からなるものを用意することを含み、前記薄肉部を形成する工程が、当該第２の電線のうち前記薄肉部が形成されるべき部分の周囲に当該部分の外周面に対して径方向外側に膨出する形状の膨出内面を有する金型を配置する工程と、当該金型内において前記絶縁被覆を構成する熱可塑性樹脂材料を加熱して軟化させるとともに当該絶縁被覆の内側の圧力が前記金型内における当該絶縁被覆の外側の圧力よりも高くなるような圧力差を与えることにより、当該絶縁被覆に前記金型の膨出内面に沿った形状の膨出部であって前記薄肉部を構成するものを形成することと、を含むものが、好適である。
【００１４】
ここで、「熱可塑性樹脂材料を加熱して軟化させる」とは、前記圧力差の付与により当該熱可塑性樹脂が膨張して前記金型の膨出内面に沿う形状に変形可能となる程度まで軟化するように加熱することを意味し、その具体的な加熱温度は、当該熱可塑性樹脂の材質や厚みに応じて適宜設定されればよい。
【００１５】
この方法によれば、第２の電線の周囲に金型を配置して当該金型内で絶縁被覆を加熱しながらその内外に圧力差を与えるだけで、当該絶縁被覆に好適な膨出部すなわち薄肉部を形成することができる。この方法では、前記金型の膨出内面の形状とこれにより得られる膨出部の形状とが対応しているので、当該膨出内面の形状の設定により、好ましい形状の膨出部を自由に形成することが、可能である。
【００１６】
前記金型内における絶縁被覆の内側の圧力と外側の圧力との間に圧力差を与えるには、当該金型内を排気して減圧してもよいし、前記第２の電線の少なくとも一方の端部から前記金型内で加熱している絶縁被覆の内側に空気等のガスを押し込んでもよい。前者の場合には、特別な加圧ガスを用いることなく所望の膨出部すなわち薄肉部を形成することができる。
【発明の効果】
【００１７】
以上のように、本発明によれば、互いに外径の異なる複数の電線及びこれらの端末に設けられる防水コネクタを含むワイヤハーネスであって、前記防水コネクタに含まれるシール材によって前記各電線を一括して良好にシールすることが可能でありかつ当該シール材の量産性を高めることが可能なもの、及び当該ワイヤハーネスを容易に製造することが可能な方法を提供することができる。
【図面の簡単な説明】
【００１８】
【図１】本発明の実施の形態に係るワイヤハーネスを構成する複数の電線及びその端末に装着される防水コネクタを示す斜視図である。
【図２】前記複数の電線及び防水コネクタを示す断面側面図である。
【図３】図２のＩＩＩ−ＩＩＩ線断面図である。
【図４】図２のうち前記防水コネクタのシール材及びその近傍部位を示す部分を拡大した断面図である。
【図５】前記複数の電線のうちの第２の電線の絶縁被覆に形成された薄肉部を示す断面側面図である。
【図６】前記薄肉部が形成された部分が前記シール材の内周面に密着したときの前記第２の電線の変形状態を示す断面側面図である。
【図７】前記薄肉部を形成するための金型を示す斜視図である。
【図８】前記金型の内部に前記薄肉部が形成される前の前記第２の電線がセットされた状態を示す断面側面図である。
【図９】前記金型を構成する下金型の平面図である。
【発明を実施するための形態】
【００１９】
本発明の好ましい実施の形態を、図面を参照しながら説明する。
【００２０】
図１〜図３は、この実施の形態に係るワイヤハーネスの要部を示す。このワイヤハーネスは、複数本の電線Ｗと、これらの電線Ｗの端末に共通して装着される防水コネクタＷＣと、を備える。
【００２１】
前記複数の電線Ｗは、複数の第１の電線Ｗ１と、複数の第２の電線Ｗ２と、により構成される。しかし、本発明に係る「複数の電線」は、第１の電線及び第２の電線に加えてこれらとは異なる第３の電線、第４の電線を含むものであってもよい。
【００２２】
前記各電線Ｗは、導体と、これを被覆する絶縁被覆と、を有する。具体的には、図２及び図３に示すように、前記各第１の電線Ｗ１は第１の導体１１とこれを覆う第１の絶縁被覆２１とを有し、前記各第２の電線Ｗ２は第２の導体１２とこれを覆う第２の絶縁被覆２２とを有する。前記各第１の電線Ｗ１は、第１の外径を有し、前記各第２の電線Ｗ２は、前記第１の外径よりも大きな第２の外径を有する。具体的には、１）前記第２の導体１２の直径が前記第１の導体１１の直径よりも大きいこと、及び、２）前記第２の絶縁被覆２２の肉厚が前記第１の絶縁被覆２１の肉厚よりも大きいこと、のうちの少なくとも一方によって、前記第２の電線Ｗ２に前記第１の外径よりも大きな外径が与えられている。
【００２３】
前記防水コネクタＷＣは、複数の端子３０と、これらの端子３０を保持するハウジング４０と、前側シール材５０と、前側シール材５０を前記ハウジング４０とともに保持する前側リテーナ６０と、後側シール材７０と、後側シール材７０を前記ハウジング４０とともに保持する後側リテーナ８０と、を有する。
【００２４】
前記複数の端子３０は、それぞれ、前記各電線Ｗの端末に装着される。具体的に、この実施の形態に係る各端子３０は雌端子であり、相手方の雄端子と嵌合可能な電気接触部３２と、前記電線Ｗの端末に圧着される電線圧着部３４と、を一体に有し、これら電気接触部３２及び電線圧着部３４が前後に並んでいる。電線圧着部３４は、導体バレル３５とインシュレーションバレル３６を有する。導体バレル３５は前記各電線Ｗにおいてその先端の絶縁被覆が除去されることにより露出した導体の外周面上に圧着され、インシュレーションバレル３６は当該導体バレル３５の後方の位置で前記絶縁被覆の外周面上に圧着される。
【００２５】
前記ハウジング４０は、前記各端子３０を保持する端子保持部４１と、当該端子３０のすぐ後方の電線Ｗの部分を収容するシール材保持部４２と、を一体に有する。当該ハウジング４０は、その全体が合成樹脂等の絶縁材料で一体に成形されている。
【００２６】
前記端子保持部４１は、複数の端子収容室４４と、複数のランス４５と、を有する。これらの端子収容室４４に前記各端子３０が後方から、すなわち前記電線収容部４４の側から、挿入されることが可能である。前記各ランス４５は、前記各端子収容室４４に挿入された端子３０の適当な部位、図２では電気接触部３２の先端側部位、を係止する。この係止により、当該端子３０は当該端子保持部４１に保持される。
【００２７】
前記シール材保持部４２は、前記端子保持部４１の後方に位置し、前記各端子収容室４４と連通する大きなシール材収容空間を囲む。このシール材収容空間には前記各電線Ｗが挿通可能であるとともに、前記後側シール材７０及び前記後側リテーナ８０が嵌め込まれることが可能である。
【００２８】
前記前側シール材５０は、前記端子保持部４１の前端面上に装着される。当該前側シール材５０は、ゴム等の弾性材により成形され、前記各端子収容室４４に対応する複数の端子挿通孔５２をそれぞれ囲む内周面を有する。各端子挿通孔５２は、これに前記相手方端子すなわち雄端子が挿通されて前記端子３０の電気接触部３２に嵌合されるのを許容する形状を有する。当該端子挿通孔５２を囲む前記前側シール材５０の内周面は、その挿通される相手方端子の外側面と全周にわたり密着することでシールを行う、すなわち当該相手方端子を伝ってのハウジング４０内への水分の浸入を抑止する、ことが可能な形状を有する。
【００２９】
前記前側リテーナ６０は、前記前側シール材５０を前記ハウジング４０に固定すべく当該ハウジング４０に装着される。この実施の形態に係る前側リテーナ６０は、前記端子保持部４１の前端面及び各側面を覆う形状を有し、当該前側リテーナ６０と当該端子保持部４１の前端面との間に前記前側リテーナ６０を挟み込んだ状態で前記ハウジング４０に固定される。この前側リテーナ６０も前記端子挿通孔５２と同じく各相手方端子の挿通を許容する端子挿通孔６２を有する。この前側リテーナ６０及び前記前側シール材５０は、本発明において必須の要素ではない。
【００３０】
前記後側シール材７０は、本発明に係る「シール材」に相当するもので、前記電線Ｗの外周面と密着することにより当該電線Ｗの側でのシールを行う。この後側シール材７０は、前記前側シール材５０と同様、ゴム等の弾性材料により形成される。後側シール材７０は、前記各端子収容室４４にそれぞれ対応する複数の電線挿通孔を囲む内周面７２と、前記シール材保持部４２の内側面に対応する形状の外周面７４と、を有する。
【００３１】
前記内周面７２は、後側シール材７０の弾性変形を伴いながら、前記電線挿通孔に挿通される電線Ｗの外周面、詳しくは当該電線Ｗの絶縁被覆の外周面、と密着することが可能な形状を有する。換言すれば、前記各電線挿通孔は前記電線Ｗの外径よりも小さな孔径を有する。一方、前記外周面７４は、前記後側シール材７０の弾性変形を伴いながら前記シール材保持部４２の内側面に密着することが可能な形状を有する。
【００３２】
前記後側リテーナ８０は、前記後側シール材７０を前記ハウジング４０に固定すべく当該ハウジング４０に装着される。具体的に、当該後側リテーナ８０は前記後側シール材７０のさらに後側の位置で前記シール材保持部４２に嵌入されて固定されることが可能な形状を有する。これにより、後側リテーナ８０は、前記後側シール材７０を前記端子保持部４１と当該後側リテーナ８０との間で前後から挟み込むことにより当該後側シール材７０を前記ハウジング４０と協働して保持することが可能である。この後側リテーナ８０も前記後側シール材７０の端子挿通孔と同じく各電線Ｗの挿通を許容する電線挿通孔８２を有する。
【００３３】
この防水コネクタＷＣにおいて、前記後側シール材７０の量産性を高めるには、当該後側シール材７０に形成される前記各電線挿通孔の孔径がなるべく揃えられることが、好ましい。そこで、この実施の形態では、前記第１の電線Ｗ１が挿通される第１の電線挿通孔及び前記第２の電線Ｗ２が挿通される第２の電線挿通孔を含む全ての電線挿通孔の孔径が互いに等しい径に設定されている。
【００３４】
しかし、その一方、前記第１の電線Ｗ１及び第２の電線Ｗ２は互いに異なる第１及び第２の外径をそれぞれ有するため、これらの電線Ｗ１，Ｗ２が挿通される第１及び第２の電線挿通孔の孔径の共通化について重要な課題が発生する。具体的に、当該第１及び第２の電線挿通孔の孔径が大径の第２の電線Ｗ２のシールに適した径、すなわち前記第２の電線挿通孔を囲む内周面７２が第２の電線Ｗ２の外周面にほどよく密着する径に設定された場合、同じ孔径をもつ前記第１の電線挿通孔を囲む内周面と外径の小さい第１の電線Ｗ１の外周面との密着度（換言すれば後側シール材７０の弾性変形度合い）が低くなり、これにより十分なシール機能を損なうおそれがある。逆に、前記第１及び第２の電線挿通孔の孔径が小径の第１の電線Ｗ１のシールに適した径、すなわち前記第１の電線挿通孔を囲む内周面７２が小径の第１の電線Ｗ１の外周面に程よく密着する径に設定された場合、第２の電線Ｗ２が通常の絶縁被覆電線であると当該第２の電線Ｗ２の挿通により前記第２の電線挿通孔が過度に拡径させられてハウジング４０のシール材保持部４２の内側での前記後側シール材７０全体の圧縮変形度合いが過度に上昇し、これにより当該シール材７０やこれを外側から保持するシール材保持部４２の寿命が短縮するおそれがある。また、当該第２の電線挿通孔への第２の電線Ｗ２の挿通作業も困難になる。
【００３５】
この課題を克服すべく、この実施の形態に係るワイヤハーネスでは、第１及び第２の電線Ｗ１，Ｗ２のうちの大径の第２の電線Ｗ２の絶縁被覆２２に図５に示すような薄肉部２４が形成されている。この薄肉部２４は、局所的に肉厚の小さい部分であり、当該薄肉部２４以外の部分の肉厚よりも小さい肉厚を有する。この薄肉部２４が形成される領域は、図２及び図４に示すように前記第２の電線Ｗ２に装着された端子３０が前記端子保持部４１に保持される位置において当該第２の電線Ｗ２の絶縁被覆２２のうち前記第２の電線挿通孔を囲む前記後側シール材７０の内周面７２と接触する部位を含んでいる。従って、前記絶縁被覆２２のうちの薄肉部２４が確実に前記内周面７２と接触する。
【００３６】
この実施の形態に係る薄肉部２４は、図５に示すように、前記絶縁被覆２２のうち当該薄肉部２４が形成されるべき部分を径方向の外側に膨出させ、この膨出により当該部分の肉厚を他の部分よりも小さくすることにより、形成されている。この絶縁被覆２２の膨出は、当該絶縁被覆２２の内外に圧力差を与えるという簡単な構成で達成されることが可能である。
【００３７】
前記膨出は、前記薄肉部２４と導体１２との間に図５に示すような間隙２６を生じさせ、当該膨出分だけ薄肉部２４の外径は他の部分の外径よりも大きくなるが、当該薄肉部２４が前記後側シール材７０の第２の電線挿通孔に圧入されることにより当該第２の電線挿通孔を囲む内周面７２が前記薄肉部２４を径方向の外側から押圧してこれを縮径させる。つまり、前記薄肉部２４は図４及び図６に示すように前記導体１２の外周面と密着する状態となり、これにより当該薄肉部２４の外径は他の部分の外径よりも小さくなる。従って、第２の電線Ｗ２の通常部分（薄肉部２４以外の部分）の外径である第２の外径が第１の電線Ｗ１の第１の外径より大きくても、両電線Ｗ１，Ｗ２の外周面と後側シール材７０の内周面７２との密着度合いを近づけることが可能である。なお、前記薄肉部２４の縮径に伴って当該薄肉部２４の余った部分が図６に示すような膨らみ２８を生じさせるが、この膨らみ２８は図４に示すように前記後側シール材７０の後方に逃がすことが可能である。
【００３８】
また、この実施の形態に係る薄肉部２４は、その軸方向の両端部のうち少なくとも第２の電線Ｗ２の端末側の端部が当該端末から離れるに従って拡径する向きに傾斜するテーパ面２４ａを有している。このテーパ面２４ａは当該薄肉部２４が前記第２の電線挿通孔に円滑に圧入されることを助ける。
【００３９】
この実施の形態に係るワイヤハーネスは、前記第１及び第２の電線Ｗ１，Ｗ２を含む複数の電線Ｗ及び前記防水コネクタＷＣを用意する工程と、前記第２の電線Ｗ２の絶縁被覆２２に前記薄肉部２４を形成する工程と、前記防水コネクタＷＣにおける後側シール材７０の各電線挿通孔に前記各電線Ｗを挿通し、かつ、当該各電線Ｗに装着された各端子３０を前記ハウジング４０の端子保持部４１に保持させる工程と、によって容易に製造されることができる。そして、前記各電線挿通孔への前記各電線Ｗの挿通の際に、第２の電線Ｗ２の薄肉部２４を前記後側シール材７０の第２の電線挿通孔を囲む内周面７２と接触させることで、各電線挿通孔の孔径の共通化にかかわらず第１及び第２の電線Ｗ１，Ｗ２とこれに対応する内周面７２との密着度合いを均等化することが可能である。
【００４０】
前記薄肉部２４を含む前記第２の電線Ｗ２の製造は、例えば次のような工程を含む方法によって効率よく行われることが可能である。
【００４１】
１）予備工程
この工程では、前記の導体１２及び絶縁被覆２２を含む通常の（すなわち絶縁被覆２２の肉厚及び径が均一の）絶縁被覆電線素材が準備される。この絶縁被覆電線素材は、通常の被覆電線と同様、例えば押出し成形によって生産されることが可能である。前記絶縁被覆２２の材質としては、後の加熱状態での成形のために、絶縁性に加えて熱可塑性を有する樹脂が用いられる。具体的には、ポリアミド樹脂、ポリプロピレン樹脂、ポリエチレン樹脂、ポリエチレンテレフタレート樹脂、架橋ポリエチレン、エチレン−エチルアクリルレート共重合樹脂、サーモプラスチックポリウレタン共重合樹脂、塩化ビニルなど、が好適である。
【００４２】
２）金型配置工程及び膨出部形成工程
これらの工程では、前記絶縁被覆電線素材の軸方向の少なくとも一部の箇所の周囲に、前記薄肉部２４を形成するための金型が配置され、その状態で薄肉部２４の形成が行われる。換言すれば、当該金型の内部に前記絶縁被覆電線素材の軸方向の少なくとも一部が配置され、当該金型の内部で前記薄肉部２４の形成が行われる。この薄肉部２４の形成は、当該薄肉部２４の形成箇所における絶縁被覆２２の内側の圧力と外側の圧力（すなわち金型内の圧力）との間に前者の圧力の方が高いような圧力差を与えることにより、行われる。このような圧力差を利用した薄肉部２４の形成は、例えば、次の真空成形が好適である。
【００４３】
この真空成形は、絶縁被覆２２の外側空間を減圧することにより前記圧力差を形成するものであり、例えば図７〜図９に示すような上金型９０Ａ及び下金型９０Ｂ（図９は下金型９０Ｂのみ図示）の使用により、実現される。
【００４４】
上金型９０Ａ及び下金型９０Ｂは、図７〜図９に示す絶縁被覆電線素材Ｗ′のうちの薄肉部が形成されるべき部分及びその近傍部分のみを上下から挟みこむ形状を有する。具体的に、両金型９０Ａ，９０Ｂの軸方向両端部は、前記絶縁被覆電線素材Ｗ′の外周面に対応する断面半円状の半割内周面９２をそれぞれ有し、軸方向中央部分は、形成目標となる薄肉部２４の外側面形状に対応した形状の膨出内面９４を有する。前記実施形態に係る薄肉部２４は概ね円筒状であるので、前記膨出内面９４は、前記薄肉部２４の（変形前の）外径に対応した内径を有する略円筒状の内周面により構成される。
【００４５】
前記各金型９０Ａ，９０Ｂの外側面には、図略の真空ポンプに接続される部分である凹部９１が形成され、この凹部９１の底面と前記内側面９２の複数の箇所とを連通するように複数のエア吸引孔９５が各金型９０Ａ，９０Ｂに形成されている。従って、各エア吸引孔９５に前記真空ポンプが接続されることが可能である。
【００４６】
真空成形の際には、前記上金型９０Ａ及び前記下金型９０Ｂのうちその軸方向両端部に形成された内周面９２がそれぞれ前記絶縁被覆電線素材Ｗ′の外周面（絶縁被覆２２の外周面）に全周にわたり密着するように、両金型９０Ａ，９０Ｂ同士の間に前記絶縁被覆電線素材Ｗ′が挟み込まれ、この状態で両金型９０Ａ，９０Ｂ同士が図略のボルトにより締結される。換言すれば、絶縁被覆電線素材Ｗ′の周囲に前記両金型９０Ａ，９０Ｂが配置される。
【００４７】
この状態で、例えば前記金型９０Ａ，９０Ｂに内蔵されたヒータにより前記絶縁被覆２２を構成する熱可塑性樹脂が加熱される。この温度は、後述の圧力差の付与によって、当該熱可塑性樹脂が膨張して前記金型９０Ａ，９０Ｂの膨出内面９４に沿う形状に変形可能となる程度まで軟化する温度に設定されればよく、その具体的な値は当該熱可塑性樹脂の材質や厚みに応じて適宜設定されればよい。例えば、絶縁被覆２２の材質が塩化ビニルで１ｍｍ程度の肉厚を有する場合には１００°Ｃ〜１３０°Ｃ程度まで加熱すればよい。すなわち、この熱可塑性樹脂の加熱温度は、当該熱可塑性樹脂からなる絶縁被覆２２が前記膨出内面９４に対応する形状まで変形することを可能にする程度まで軟化するように設定さればよく、その具体的な温度は限定されない。
【００４８】
このような加熱状態で、さらに、前記真空ポンプが作動して上金型９０Ａ及び下金型９０Ｂの内部のエアを吸引することにより負圧を形成する。これにより、当該金型９０Ａ，９０Ｂ内のエアの圧力（すなわち絶縁被覆２２のすぐ外側のエアの圧力）Ｐｏと、絶縁被覆２２の内側の圧力Ｐｉとの間にＰｏ＜Ｐｉ（＝大気圧）となる圧力差（＝Ｐｉ−Ｐｏ）が与えられる。この圧力差により、金型９０Ａ，９０Ｂ内で加熱されて軟化した絶縁被覆２２が金型９０Ａ，９０Ｂの内側面に密着する形状、すなわち、膨出内面９４に沿うように径方向の外向きに膨出する形状、に変形させられる。これにより、前記薄肉部２４以外の通常部分よりも大径で薄肉の薄肉部２４が形成される。このようにして、当該薄肉部２４をもつ第２の電線Ｗ２が製造される。
【００４９】
なお、前記絶縁被覆２２の弾性が低くて当該絶縁被覆２２と金型内周面９２との密着が難しい場合には、両者間に例えばＯリングが挟み込まれてもよい。また、両金型９０Ａ，９０Ｂ同士の接合面のシールのためにゴムシートが両金型９０Ａ，９０Ｂの間に挟みこまれてもよい。あるいは、絶縁被覆電線素材Ｗ′が比較的短い場合には、当該電線素材Ｗ′全体を密封するような長尺の金型が使用されてもよい。この場合も、当該金型内を排気して減圧すると、絶縁被覆電線素材Ｗ′における導体１０での流路抵抗により絶縁被覆２２の内側圧力Ｐｉと外側圧力Ｐｏとの間にＰｏ＜Ｐｉ（＝大気圧）となる圧力差が生ずるので、前記と同様に薄肉部２４を形成することが可能である。
【００５０】
このような真空成形の他、ブロー成形によっても前記圧力差を与えることが可能である。このブロー成形は、前記絶縁被覆２２の内側に圧力ガス（例えばエア）を押し込んで当該内側の圧力Ｐｉを昇圧することにより、Ｐｏ（＝大気圧）＜Ｐｉとなる圧力差を形成するものである。
【００５１】
以上示した方法によれば、絶縁被覆電線素材Ｗ′の周囲に適当な形状の内面をもつ金型を配置して当該金型内で絶縁被覆２２を加熱しながら当該絶縁被覆２２の内側と外側との間に圧力差を与えるだけで、当該絶縁被覆２２に好適な薄肉部２４を形成することができる。この方法では、金型内面形状と、得られる薄肉部２４の形状と、が対応しているので、当該金型の内面の形状の設定により、好ましい形状の薄肉部２４を自由に形成することが、可能である。換言すれば、要求される形状の膨出部の形成は、その形状に対応した形状の金型を用いることで容易に達成することが可能である。そして、当該薄肉部２４の肉厚は当該薄肉部２４の膨出度合いの設定によって制御することが可能である。
【００５２】
本発明において、複数の電線の配列や本数は適宜設定可能である。同様に、シール材に形成される電線挿通孔の配列や本数も適宜設定可能である。また、シール材に形成される全ての電線挿通孔の孔径が同一である必要はない。例えば、複数の電線の中に大径及び小径の電線が混在していてこれらの電線の外径の差が著しい場合には各電線にそれぞれ対応した異なる径の電線挿通孔がシール材に形成されていてもよい。この場合でも、例えばその大径の電線のうちで互いに電線径が僅かに異なる第１の電線及び第２の電線が存在していて当該第２の電線の外径が当該第１の電線の外径より大きな場合に、当該第２の電線の絶縁被覆に前記のような薄肉部を形成することにより、これら第１及び第２の電線のための電線挿通孔の孔径を同一にして前記シール材の量産性を高めることが可能である。
【符号の説明】
【００５３】
Ｗ      電線
Ｗ１    第１の電線
Ｗ２    第２の電線
ＷＣ    防水コネクタ
１１    第１の導体
１２    第２の導体
２１    第１の絶縁被覆
２２    第２の絶縁被覆
２４    薄肉部
３０    端子
４０    ハウジング
４１    端子保持部
４２    シール材保持部
４４    端子収容室
７０    後側シール材
７２    後側シール材の内周面
７４    後側シール材の外周面
９０Ａ  上金型
９０Ｂ  下金型
【図１】
2015185315.tif 000003
【図２】
2015185315.tif 000004
【図３】
2015185315.tif 000005
【図４】
2015185315.tif 000006
【図５】
2015185315.tif 000007
【図６】
2015185315.tif 000008
【図７】
2015185315.tif 000009
【図８】
2015185315.tif 000010
【図９】
2015185315.tif 000011